(57)【要約】【課題】部材を増設しなくても光漏れを防止できる放熱装置を提供する。【解決手段】  投影システム内に応用される光漏れを防止できる放熱装置であって、ファン１２と、ファンケース１１と、延伸部１３とを備え、ファン１２は、ハブ１２１と、ハブ１２１周囲に沿って外部に放射状に延伸する複数の羽根１２２とを備え、複数の羽根１２２はそれぞれ隣の羽根１２２と重なるように間隔が開いており、ファンケース１１は、内壁に流道１１１が形成され、流道１１１内にはハブ座１１２が設けられてファン１２が収容されており、ファン１２と流道１１１との間には隙間が保持されており、延伸部１３は、ファンケース１１縁部に突設され、ファンケース１１中心に向かって延伸しており、延伸距離は少なくとも流道１１１とファン１２との間の隙間の距離である。【選択図】  図１
2006322983.tif 000002
【特許請求の範囲】
【請求項１】
少なくとも一つの光源を備える投影システム内に応用される光漏れを防止できる放熱装置であって、
前記放熱装置は、ファンと、ファンケースと、延伸部とを備え、
前記ファンは、ハブおよび複数のハブ周囲に沿って外部に放射状に延伸する羽根を備え、前記複数の羽根はそれぞれ隣の羽根と重なるように間隔が開いており、
前記ファンケースは、内壁に流道が形成され、前記ファンが収容されており、前記流道の平面面積は前記ファンの平面面積よりも大きく、それによって前記ファンと前記流道との間には隙間が保持されており、
前記延伸部は、前記ファンケース縁部に突設され、ファンケース中心に向かって延伸しており、
前記ファンの重なる羽根とファンケース縁部の延伸部とによって、光源がファンを照射する光線を遮断し、光線が外部に漏れることを防止できることを特徴とする光漏れを防止できる放熱装置。
【請求項２】
前記延伸部の延伸距離は、前記流道とファンとの間の隙間と等しいことを特徴とする請求項１記載の光漏れを防止できる放熱装置。
【請求項３】
前記延伸部の延伸距離は、前記流道とファンとの間の隙間よりも大きいことを特徴とする請求項１記載の光漏れを防止できる放熱装置。
【請求項４】
少なくとも一つの光源を備える投影システム内に応用される光漏れを防止できる放熱装置であって、
前記放熱装置は、ファンと、ファンケースとを備え、
前記ファンは、ハブおよび複数のハブ周囲に沿って外部に放射状に延伸する羽根を備え、前記複数の羽根はそれぞれ隣の羽根と重なるように間隔が開いており、
前記ファンケースは、内壁が傾斜状を呈し、錐状の流道が形成され、前記ファンが収容されており、前記流道のファンケース両側部分にはそれぞれ第１の端部と第２の端部とが形成されており、前記第１の端部の平面面積は前記ファンの平面面積よりも大きく、前記第２の端部の平面面積は前記ファンの平面面積よりも小さく、
上述の構造によって、光源がファンを照射する光線を遮断し、光線が外部に漏れることを防止することを特徴とする光漏れを防止できる放熱装置。
【請求項５】
前記流道内には、ハブ台が設けられ、前記ハブ台に前記ファンが枢設されていることを特徴とする請求項４記載の光漏れを防止できる放熱装置。
【請求項６】
前記ハブ台とファンケース内壁との間には、複数の支持部材が設けられていることを特徴とする請求項５記載の光漏れを防止できる放熱装置。
【請求項７】
前記複数の支持部材は、間隔を開けて配列されていることを特徴とする請求項６記載の光漏れを防止できる放熱装置。
【請求項８】
前記複数の支持部材は、それぞれの支持部材が隣の支持部材と重なるように間隔が開いていることを特徴とする請求項６記載の光漏れを防止できる放熱装置。
【請求項９】
少なくとも一つの光源を備える投影システム内に応用される光漏れを防止できる放熱装置であって、
前記放熱装置は、ファンと、ファンケースと、遮光ユニットとを備え、
前記ファンは、ハブおよび複数のハブ周囲に沿って外部に放射状に延伸する羽根を備え、
前記ファンケースは、内壁に流道が形成され、前記流道内にはハブ台が設けられ、前記ハブ台にはファンが枢設されており、
前記遮光ユニットは、前記ハブ台と前記ファンケース内壁との間に設けられており、
前記遮光ユニットが光源がファンを照射する光線を遮断することによって、光線が外部に漏れることを防止することを特徴とする光漏れを防止できる放熱装置。
【請求項１０】
前記遮光ユニットは複数の支持部材であることを特徴とする請求項９記載の光漏れを防止できる放熱装置。
【請求項１１】
前記遮光ユニットは、少なくとも一本の支持部材と、複数の前記支持部材と接続された同心リングとからなり、前記同心リングは傾斜状を呈し、それぞれの同心リングは隣の同心リングと重なるように間隔が開いていることを特徴とする請求項９記載の光漏れを防止できる放熱装置。
【請求項１２】
前記複数の支持部材は、それぞれ隣の支持部材と重なるように間隔が開いていることを特徴とする請求項１０記載の光漏れを防止できる放熱装置。
【請求項１３】
光漏れを防止できる投影システムであって、
前記投影システムは、外ケースと、光源と、放熱装置と、遮光ユニットとを備え、
前記外ケースは、少なくとも一つの窓孔を形成しており、
前記光源は、前記外ケース内に設置されており、
前記放熱装置は、前記光源と前記少なくとも一つの窓孔との間に設置され、ファンを備え、前記ファンには外部に放射状に延伸した羽根が形成されており、
前記遮光ユニットは、前記窓孔間に設置され、光源がファンを照射する光線を遮断し、光線が前記窓孔から外部に漏れるのを防ぐことを特徴とする光漏れを防止できる投影システム。
【請求項１４】
前記遮光ユニットは複数の支持板であることを特徴とする請求項１３記載の光漏れを防止できる投影システム。
【請求項１５】
前記遮光ユニットは、少なくとも一本の支持部材と、複数の前記支持部材と接続された同心リングとからなり、前記同心リングは傾斜状を呈し、それぞれの同心リングは隣の同心リングと重なるように間隔が開いていることを特徴とする請求項１３記載の光漏れを防止できる投影システム。
【請求項１６】
前記複数の支持板は、それぞれ隣の支持板と重なるように間隔が開いていることを特徴とする請求項１４記載の光漏れを防止できる投影システム。
【請求項１７】
前記支持板は、平行に配列されていることを特徴とする請求項１６記載の光漏れを防止できる投影システム。
【請求項１８】
前記支持板は、放射状に配列されていることを特徴とする請求項１６記載の光漏れを防止できる投影システム。
【発明の詳細な説明】
【技術分野】
【０００１】
本発明は、光漏れを防止できる放熱装置および投影システムに関し、特に光源を備えた投影装置内に応用される遮光および放熱効果を備えた放熱ファンと遮光ユニットとを備えた投影システムに関する。
【背景技術】
【０００２】
科学技術の発展に伴い、投影装置は各種領域に応用されており、現在の投影装置は使用者の必要に応じて光学投影装置と液晶投影装置の二種に分類される。どちらの投影装置においても光線を放出する光源とその光線の処理装置が設けられており、光線処理の制御によって優れた投影画質と対比度を達成する。
【０００３】
光源は投影装置の主要な発熱源であり、ハイパワーの光源を使用に伴い、如何に光源の良好な放熱と通風環境を保持するかは非常に重要であり、故に投影装置の光源に近い場所には放熱用のファンが設けられ、ファンに対応する位置には窓孔が設けられ、ファンを運転させて光源から発生する熱を窓孔外に排出し、光源の放熱を援助するのだが、使用されるファンの複数の羽根は重なった構造にはなっていないので、光源からの光線の一部分はファンの羽根を通過した後、窓孔から外部に漏れ、投影画質および品質に影響を及ぼす。そこで光源とファンとの間に間隔を開けて配列され、傾斜状の柵である複数の遮光板を設けた構造のものがあるが、本構造は装置の部材を増加させ、さらに遮光板を設置する空間を設ける必要があるので、装置全体の体積を増加させ、製造コストおよび材料コストも増加させ、さらに空気の流動性にも影響を与えて放熱効果を大幅に低下させる。
【０００４】
特許文献１の遮光効果を有する投影機においては、複数の窓孔を形成する外ケースと、外ケース内の窓孔の近くに位置に設置される光源と、光源と窓孔との間に設置されるファンと、複数の遮光片とを備え、ファンは複数の間隔を開けて中央から外部に延伸する羽根を備え、複数の遮光片はそれぞれ羽根の少なくとも一つの表面上に形成されており、それぞれの遮光片は羽根の表面から隣の羽根に向かって延伸しており、光源が窓孔を照射する光線を遮断するのに使用されている。
【０００５】
前述のファンのそれぞれの羽根はすべてファン回転軸の外周に斜めに形成されており、それぞれの羽根は光源付近の第１の側縁および第１の側縁と反対の外ケース付近の第２の側縁を備え、それぞれの羽根の第２の側縁と隣の羽根の第１の側縁は同一直線上に位置する。
【０００６】
しかし、上述の構造は実際に使用する上で問題が存在し、それぞれの羽根表面に形成された隣の羽根に延伸する遮光片によって、ファンが流体を流動させるとき、羽根間の流体の流動が妨害され、羽根と羽根との間の流動路は横向きの遮光片の影響を受けて流体が乱流し、同時に音量数値の極めて高い騒音が発生し、更に遮光片の設計によって羽根の数量を減少させて遮光片に横向きに延伸できる空間を形成する必要があり、それによって羽根が動かす流体量が低下して放熱効果を高めることができず、羽根と流道との間はファンを収容するために区切られた空間で、ファンの羽根が部分的な光線を遮断することができるが、一部の光線は流道と羽根末端の隙間から外部に漏れ、本構造は優れた設計ではない。
【０００７】
上述の従来技術の各欠点に鑑み、本発明の発明者は長年の経験と弛まぬ研究改良によってついに本発明を完成させた。
【特許文献１】台湾実用新案第５３２４９５号公報
【発明の開示】
【発明が解決しようとする課題】
【０００８】
本発明の第１の目的は、部材を増加させなくても少なくとも一つの光源を備える投影装置に放熱および遮光効果を持たせることができる投影システムを提供することにある。
本発明の第２の目的は、ファンの複数の羽根がそれぞれ隣の羽根と重なっており、ファンケースには流道周囲に沿ってファンケース中心に向かって延伸した延伸部が設けられ、延伸部の延伸距離は流道とファンとの間の間隔よりも少なくとも等しいか或いはそれより大きく、それによってファンに照射される光線を遮断できる放熱装置を提供することにある。
本発明の第３の目的は、ファンの複数の羽根がそれぞれ隣の羽根と重なっており、ファンケース内の錐状の流道の一端の平面面積がファンの平面面積よりも小さいことによって光線が外部に漏れるのを防止できる放熱装置を提供することにある。
本発明の第４の目的は、ハブ台とファンケース内壁との間に遮光ユニットが設けられていることによって光線が外部に漏れるのを防止できる放熱装置を提供することにある。
本発明の第５の目的は、遮光ユニットが設けられていることによって光線が外部に漏れるのを防止できる投影システムを提供することにある。
【課題を解決するための手段】
【０００９】
上述の目的を解決するために、本発明の光漏れを防止できる放熱装置は、少なくとも一つの光源を備える投影システム内に応用され、ファンと、ファンケースと、延伸部とを備え、ファンケースは流道が形成され、流道内にハブ台が設けられ、ハブ台にはファンが枢設されており、ファンは複数のハブ周囲に沿って隣の羽根と重なるように間隔が開いた羽根を備え、ファンと流道との間には隙間が保持されており、延伸部はファンケースの流動外周に沿ってファンケース中心に向かって延伸して少なくとも流道とファンとの間の隙間を被覆している。
【００１０】
延伸部の延伸距離は流道とファンとの間の隙間と等しい。
【００１１】
延伸部の延伸距離は流道とファンとの間の隙間よりも大きい。
【００１２】
本発明のその他の実施形態として、ファンと、ファンケースとを備え、ファンはハブおよび複数のハブ周囲に沿って外部に放射状に延伸する羽根を備え、複数の羽根はそれぞれ隣の羽根と重なるように間隔が開いており、ファンケースは内壁が傾斜状を呈し、錐状の流道が形成され、ファンが収容されており、流道のファンケース両側部分にはそれぞれ第１の端部と第２の端部とが形成されており、第１の端部の平面面積はファンの平面面積よりも大きく、第２の端部の平面面積はファンの平面面積よりも小さい。
【００１３】
流道内にはハブ台が設けられ、ハブ台にファンが枢設されている。
【００１４】
ハブ台とファンケース内壁との間には複数の支持部材が設けられている。
【００１５】
複数の支持部材は間隔を開けて配列されている。
【００１６】
複数の支持部材はそれぞれの支持部材が隣の支持部材と重なるように間隔が開いている。
【００１７】
本発明のその他の実施形態として、ファンと、ファンケースと、遮光ユニットとを備え、ファンはハブおよび複数のハブ周囲に沿って外部に放射状に延伸する羽根を備え、ファンケースは内壁に流道が形成され、流道内にはハブ台が設けられ、ハブ台にはファンが枢設されており、遮光ユニットはハブ台とファンケース内壁との間に設けられている。
【００１８】
遮光ユニットは複数の支持部材である。
【００１９】
複数の支持部材はそれぞれ隣の支持部材と重なるように間隔が開いている。
【００２０】
遮光ユニットは少なくとも一本の支持部材と、複数の支持部材と接続された同心リングとからなり、同心リングは傾斜状を呈し、それぞれの同心リングは隣の同心リングと重なるように間隔が開いている。
【００２１】
本発明のその他の実施形態として、外ケースと、光源と、放熱装置と、遮光ユニットとを備え、外ケースは少なくとも一つの窓孔を形成しており、光源は外ケース内に設置されており、放熱装置は光源と少なくとも一つの窓孔との間に設置され、ファンを備え、ファンには外部に放射状に延伸した羽根が形成されており、遮光ユニットは前記窓孔間に設置されている。
【００２２】
遮光ユニットは複数の支持板である。
【００２３】
複数の支持板はそれぞれ隣の支持板と重なるように間隔が開いている。
【００２４】
遮光ユニットは少なくとも一本の支持部材と、複数の支持部材と接続された同心リングとからなり、同心リングは傾斜状を呈し、それぞれの同心リングは隣の同心リングと重なるように間隔が開いている。
【発明の効果】
【００２５】
羽根が隣の羽根と重なるように間隔が開いた構造のファンおよび延伸部、または支持板或いは同心リングが隣の支持板或いは同心リングと重なるように間隔が開いた構造の遮光ユニットによって、ファンの放熱性能に影響を与えることなく、光源からの光線が外部に漏れるのを防ぐことができ、従来技術のような遮光板を増設したために全体体積を増加するという欠点と、ファンの羽根の横に延伸した遮光片が流体の流動を妨害して乱流を発生されるという欠点とを改善し、放熱および遮光機能を兼ね備えることができた。
【発明を実施するための最良の形態】
【００２６】
本発明の上述の目的、その構造および機能上の特性を図を参照しながら好適な実施形態に沿って説明を行う。
【００２７】
図１、２は本発明の第１の実施形態による光漏れを防止できる放熱装置を示す図であり、ファンケース１１と、ファン１２と、延伸部１３とを備え、ファンケース１１は、内壁に流道１１１が形成され、流道１１１内にはハブ台１１２およびファンケース１１内壁とハブ台１１２との間に接続された複数の支持部材１１３が設けられており、支持部材１１３は間隔を開けて配列されており、ファン１２はファンケース１１のハブ台１１２上に回転可能に枢設されており、ハブ１２１およびハブ１２１周囲に沿って外部に放射状に延伸する羽根１２２を備え、羽根１２２は第１の羽根縁部１２２１および第１の羽根縁部１２２１の反対側に第２の羽根縁部１２２２を備え、本実施形態においては、複数の羽根１２２はそれぞれ隣の羽根１２２と重なるように間隔が開いており、それぞれの羽根１２２の第１の羽根縁部１２２１は隣の羽根１２２の第２の羽根縁部１２２２を被覆しており、延伸部１３はファンケース１１上に設けられ、本実施形態においては、延伸部１３はファンケース１１に形成された流道１１１外周からファンケース１１中心に向かって延伸している。
【００２８】
上述のファンケース１１とファン１２の羽根１２２末端との間は構造上隙間が保持されているので、上述の延伸部１３の延伸距離は少なくともその隙間と等しいか或いはそれを超えるものであり、つまり、ファンケース１１とファン１２との隙間を丁度被覆するか或いはそれを超えて被覆するものである。
【００２９】
図３は本発明の第１の実施形態を投影装置に応用した様子を示す図であり、投影装置１４は少なくとも一つのハイパワーの光源１４１を備え、光源１４１が光線を生成するとき、光線は前方に照射されるだけでなく、各方向に照射され、投影装置１４は外ケース（図なし）を備え光線が外部に漏れないようにしているが、光源１４１の放熱を行うために、放熱装置が投影装置１４の排気口部分に設けられており、放熱装置のファン１２が回転して光源１４１から発生する熱を排出し、ファン１２の重なった羽根１２２および延伸部１３によって放熱装置に照射される光線を遮断し、排気口方向への光線が外部に漏れるのを防止し、従来技術のような遮光板を増設することにより全体体積を増加するという欠点と、ファンの羽根の横に延伸した遮光片が流体の流動を妨害して乱流を発生されるという欠点とを改善し、放熱および遮光機能を兼ね備えることができた。
【００３０】
図４、５、６は本発明の第２の実施形態を示す図であり、全体の構造と機能は第１の実施形態と同じであるが、異なる点として、本実施形態においては、ファンケース２１内壁が傾斜状を呈し、錐状の流道２１１が形成され、ファン１２が収容されており、流道２１１のファンケース２１両側部分にはそれぞれ第１の端部２１１１と第２の端部２１１２とが形成されており、第１の端部２１１１の平面面積はファン１２の平面面積よりも大きく、第２の端部２１１２の平面面積はファン１２の平面面積より大きくなく、つまり、第２の端部２１１２の平面面積はファン１２の平面面積と等しいか或いはそれよりも小さく、第２の端部２１１２にはハブ台２１２が設けられ、ハブ台２１２にはファン１２が枢設されており、ファン１２とファンケース２１の内壁との間には複数の支持部材２１３が設けられており、支持部材２１３は本実施形態においては間隔を開けて配列されており、その配列形式は放射状または平行状とすることができ、光線が外部に漏れるのを防止している。
【００３１】
またその他の実施形態においては、複数の支持部材２１３のそれぞれの支持部材２１３が隣の支持部材２１３と重なっており、それによって光線が外部に漏れるのを遮断している。
【００３２】
図７、８、９は本発明の第３の実施形態を示す図であり、全体の構造と機能は第１の実施形態と同じであるが、異なる点として、本実施形態においては、ファン３２はハブ３２１と、複数のハブ３２１周囲に沿って外部に放射状に延伸する羽根３２２と、遮光ユニットとを備え、羽根３２２は本実施形態においては、隣の羽根３２２と重ならないように配列されており、遮光ユニット３４は、ハブ台１１２とファンケース１１内壁との間に設けられており、遮光ユニット３４は本実施形態においては、複数の支持部材３４１からなり、複数の支持部材３４１は、それぞれ隣の支持部材３４１と重なるように間隔が開いており、遮光ユニット３４によって放熱装置に照射される光線を遮断し、光線が外部に漏れるのを防いでいる。
【００３３】
図１０、１１、１２に示すように、その他の実施形態においては、遮光ユニット４４は、少なくとも一本の支持部材４４１と、複数の支持部材４４１と接続された同心リング４４２とからなり、同心リング４４２はファンケース１１外側に向かって傾斜状を呈し、それぞれの同心リング４４２は隣の同心リング４４２と重なるように間隔が開いている。
【００３４】
図１３、１４は本発明の第４の実施形態を示す図であり、投影システムであって、外ケース５１を備え、外ケース５１には少なくとも一つの窓孔が形成されており（図１４を参照）、外ケース５１内には少なくとも一つの光源５２と、放熱装置５３とが設けられており、光源５２は光線を発生して前方および周囲を照射し、放熱装置５３は光源５２と窓孔５１１との間に設置されており、ファン５３１および遮光装置５３３を備え、ファン５３１はハブ５３１１およびハブ５３１１周囲に放射状に延伸した羽根５３１２を備え、遮光装置５３３は窓孔５１１間に設けられ、本実施形態においては、遮光装置５３３は複数の支持板５３３１を備え、それぞれの支持板５３３１間は隣の支持板５３３１と重なるように間隔が開いており、複数の支持板５３３１は平行に配列するか、或いは放射状に配列することができる。
【００３５】
上述の放熱装置５３のファン５３１の運転によって、光源５２から発生する熱を窓孔５１１方向に移動させて外部に排出し、外ケース５１内の温度を低下させて投影システムの温度を低下させ、遮光装置５３３によって、放熱装置５３および窓孔５１１に照射される光線が外部に漏れるのを防ぐことができる。
【００３６】
図１５、１６は本発明の第５の実施形態を示す図であり、全体の構造と機能は上述のの実施形態と同じであるが、異なる点として、本実施形態においては、窓孔６１１が円形であり、遮光ユニット６３３はその他の実施形態においては、支持ロッド６３３１おおび支持ロッド６３３１と接続された複数の同心リング６３３２を備え、同心リング６３３２は傾斜状を呈し、それぞれの同心リング６３３２は隣の同心リング６３３２と重なるように間隔が開いており、それによって上述の効果を達成できる。
【００３７】
図１７、１８は本発明の第６の実施形態を示す図であり、全体の構造と機能は上述のの実施形態と同じであるが、異なる点として、本実施形態においては、円形の窓孔７１１に中心板７１２が設けられており、遮光ユニット７３３は本実施形態においては窓孔７１１内壁と、中心板７１２との間に接続される支持板７３３１とからなり、支持板７３３１が放射状に配列されており、それによって上述の効果を達成できる。
【００３８】
上述の説明は、本発明の好適な実施形態を示すものであり、本発明の上述の方法、形状、構造、装置を利用した変化はすべて本発明の権利範囲に含まれる。
【図面の簡単な説明】
【００３９】
【図１】本発明の第１の実施形態を示す断面図である。
【図２】本発明の第１の実施形態を示す上面図である。
【図３】本発明の第１の実施形態を投影装置に応用した様子を示す断面図である。
【図４】本発明の第２の実施形態を示す断面図である。
【図５】本発明の第２の実施形態を示す上面図である。
【図６】本発明の第２の実施形態を投影装置に応用した様子を示す断面図である。
【図７】本発明の第３の実施形態を示す断面図である。
【図８】本発明の第３の実施形態を示す上面図である。
【図９】本発明の第３の実施形態を投影装置に応用した様子を示す断面図である。
【図１０】本発明の第３の実施形態における遮光ユニットのもう一つの様態を示す断面図である。
【図１１】本発明の第３の実施形態における遮光ユニットのもう一つの様態を示す正面図である。
【図１２】本発明の第３の実施形態における遮光ユニットのもう一つの様態を投影装置に応用した様子を示す断面図である。
【図１３】本発明の第4の実施形態を示す断面図である。
【図１４】本発明の第4の実施形態における窓孔と遮光ユニットを示す正面図である。
【図１５】本発明の第５の実施形態を示す断面図である。
【図１６】本発明の第５の実施形態における窓孔と遮光ユニットを示す正面図である。
【図１７】本発明の第６の実施形態を示す断面図である。
【図１８】本発明の第６の実施形態における窓孔と遮光ユニットを示す正面図である。
【符号の説明】
【００４０】
１１      ファンケース
１１１    流道
１１２    ハブ台
１１３    支持部材
１２      ファン
１２１    ハブ
１２２    羽根
１２２１  第１の羽根縁部
１２２２  第２の羽根縁部
１３      延伸部
１４      投影装置
１４１    光源
２１      ファンケース
２１１    流道
２１１１  第１の端部
２１１２  第２の端部
２１２    ハブ台
２１３    支持部材
３２      ファン
３２１    ハブ
３２２    羽根
３４      遮光ユニット
３４１    支持部材
４４      遮光ユニット
４４１    支持部材
４４２    同心リング
５１      外ケース
５１１    窓孔
５２      光源
５３      放熱装置
５３１    ファン
５３１１  ハブ
５３１２  羽根
５３３    遮光装置
５３３１  支持板
６１１    窓孔
６３３    遮光ユニット
６３３１  支持ロッド
６３３２  同心リング
７１１    窓孔
７１２    中心板
７３３    遮光ユニット
７３３１  支持板
【図１】
2006322983.tif 000003
【図２】
2006322983.tif 000004
【図３】
2006322983.tif 000005
【図４】
2006322983.tif 000006
【図５】
2006322983.tif 000007
【図６】
2006322983.tif 000008
【図７】
2006322983.tif 000009
【図８】
2006322983.tif 000010
【図９】
2006322983.tif 000011
【図１０】
2006322983.tif 000012
【図１１】
2006322983.tif 000013
【図１２】
2006322983.tif 000014
【図１３】
2006322983.tif 000015
【図１４】
2006322983.tif 000016
【図１５】
2006322983.tif 000017
【図１６】
2006322983.tif 000018
【図１７】
2006322983.tif 000019
【図１８】
2006322983.tif 000020